(57)【要約】      （修正有）【課題】茶碗、皿、壺等の陶磁器を製作する際に用いられる手ろくろ装置に関し、茶碗、皿、壺等の成形すべき陶磁器の大きさに応じた粘土に適合する大ろくろ作業盤に交換することができ、使用の融通性を高めることができる手ろくろ装置を提供する。【解決手段】ろくろ台座１にろくろ作業盤２を中心軸により回転自在に設けてなり、ろくろ作業盤上に大ろくろ作業盤５を着脱機構により着脱載置可能に設け、大ろくろ作業盤は木材又は合成樹脂により製作され、大ろくろ作業盤の周縁部に複数個の重錘体６・・を配設してなる。【選択図】図１
0003184096.tif 000002
【実用新案登録請求の範囲】
【請求項１】
ろくろ台座にろくろ作業盤を中心軸により回転自在に設けてなり、上記ろくろ作業盤上に大ろくろ作業盤を着脱機構により着脱載置可能に設け、該大ろくろ作業盤は木材又は合成樹脂により製作され、該大ろくろ作業盤の周縁部に複数個の重錘体を配設してなることを特徴とする手ろくろ装置。
【請求項２】
上記着脱機構として、上記大ろくろ作業盤の裏面に複数個の螺杆を垂設し、該大ろくろ作業盤の裏面と上記ろくろ作業盤の裏面との間に掛架可能な掛架部材を設け、該掛架部材に該螺杆が挿通可能な長穴部を形成し、該螺杆にナット体を螺着してなることを特徴とする請求項１記載の手ろくろ装置。
【請求項３】
上記重錘体は金属からなることを特徴とする請求項１又は２記載の手ろくろ装置。
【考案の詳細な説明】
【技術分野】
【０００１】
本考案は例えば茶碗、皿、壺等の陶磁器を製作する際に用いられる手ろくろ装置に関するものである。
【背景技術】
【０００２】
従来、この種の手ろくろ装置として、ろくろ台座にろくろ作業盤を中心軸により回転自在に設けてなる構造のものが知られている。
【０００３】
しかして、ろくろ作業盤の上に土練り作業後の粘土を載置し、ろくろ作業盤を手で回しながら、粘土を両手で挟むようにして成形作業を行うことになる。
【先行技術文献】
【特許文献】
【０００４】
【特許文献１】実公平５−４５４４１号公報
【考案の概要】
【考案が解決しようとする課題】
【０００５】
しかしながら上記従来構造の場合、大きな茶碗、皿、壺等の陶磁器を製作するに当たり、ろくろ作業盤に大きな粘土を載置することができないという不都合を有している。
【課題を解決するための手段】
【０００６】
本考案はこれらの不都合を解決することを目的とするもので、本考案のうちで、請求項１記載の考案は、ろくろ台座にろくろ作業盤を中心軸により回転自在に設けてなり、上記ろくろ作業盤上に大ろくろ作業盤を着脱機構により着脱載置可能に設け、該大ろくろ作業盤は木材又は合成樹脂により製作され、該大ろくろ作業盤の周縁部に複数個の重錘体を配設してなることを特徴とする手ろくろ装置にある。
【０００７】
又、請求項２記載の考案は、上記着脱機構として、上記大ろくろ作業盤の裏面に複数個の螺杆を垂設し、該大ろくろ作業盤の裏面と上記ろくろ作業盤の裏面との間に掛架可能な掛架部材を設け、該掛架部材に該螺杆が挿通可能な長穴部を形成し、該螺杆にナット体を螺着してなることを特徴とするものであり、又、請求項３記載の考案は、上記重錘体は金属からなることを特徴とするものである。
【考案の効果】
【０００８】
本考案は上述の如く、請求項１記載の考案にあっては、ろくろ作業盤上に大ろくろ作業盤を着脱機構により着脱載置し、大ろくろ作業盤は中心軸により回転自在となり、この大ろくろ作業盤上に粘土を載置し、大ろくろ作業盤を手で回しながら、粘土を両手で挟むようにして成形作業を行うことになり、これにより、大きな茶碗、皿、壺等の陶磁器の成形作業を行うことができ、上記ろくろ作業盤上に大ろくろ作業盤が着脱機構により着脱載置可能に設けられているから、外径及び厚さの異なる大ろくろ作業盤を複数個用意することにより、茶碗、皿、壺等の成形すべき陶磁器の大きさに応じた粘土に適合する大ろくろ作業盤に交換することができ、使用の融通性を高めることができ、かつ、この大ろくろ作業盤は木材又は合成樹脂により製作されているから、金属により製作した大ろくろ作業盤に比べ、軽量かつ低コストの大ろくろ作業盤を製作することができ、更に、大ろくろ作業盤の周縁部には複数個の重錘体を配設しているから、複数個の重錘体の存在により大ろくろ作業盤に大きな遠心力を付与することができ、大ろくろ作業盤の良好な継続回転を行うことができ、粘土の成形作業を容易に行うことができる。
【０００９】
又、請求項２記載の考案にあっては、上記着脱機構として、上記大ろくろ作業盤の裏面に複数個の螺杆を垂設し、大ろくろ作業盤の裏面と上記ろくろ作業盤の裏面との間に掛架可能な掛架部材を設け、掛架部材に螺杆が挿通可能な長穴部を形成し、螺杆にナット体を螺着してなるから、掛架部材の両端部により大ろくろ作業盤の裏面と上記ろくろ作業盤の裏面を押圧することにより大ろくろ作業盤をろくろ作業盤に固定することができ、ろくろ作業盤と大ろくろ作業盤とを容易に着脱することができ、掛架部材の長穴部、螺杆及びナット体により大小径の異なる大ろくろ作業盤に対応することができ、ろくろ作業盤と大ろくろ作業盤とを容易に着脱することができ、茶碗、皿、壺等の成形すべき陶磁器の大きさに応じた粘土に適合する大ろくろ作業盤に容易に交換することができ、使用の融通性を高めることができ、又、請求項３記載の考案にあっては、上記重錘体は金属からなるので、大ろくろ作業盤に大きな遠心力を付与することができ、大ろくろ作業盤の良好な継続回転を行うことができ、成形作業の効率化を図ることができる。
【図面の簡単な説明】
【００１０】
【図１】本考案の実施の形態例の全体俯瞰斜視図である。
【図２】本考案の実施の形態例の全体仰視斜視図である。
【図３】本考案の実施の形態例の全体底面図である。
【図４】本考案の実施の形態例の部分分解斜視図である。
【図５】本考案の実施の形態例の全体側断面図である。
【図６】本考案の実施の形態例の使用状態図である。
【考案を実施するための形態】
【００１１】
図１乃至図６は本考案の実施の形態例を示し、１はろくろ台座、２はろくろ作業盤であって、この場合、いずれも金属により製作され、このろくろ台座１にろくろ作業盤２を中心軸３により回転自在に設けている。
【００１２】
４は着脱機構であって、上記ろくろ作業盤２上に大ろくろ作業盤５を着脱載置可能に構成され、この大ろくろ作業盤５は木材又は合成樹脂により製作され、この場合、木材により製作され、この大ろくろ作業盤５の裏面の周縁部に複数個、この場合、六個の重錘体６・・を６０度の六等配上に埋め込み状態で配設し、この場合、重錘体６・・を金属により製作している。
【００１３】
この場合、図２、図３、図４、図５の如く、上記着脱機構４として、上記大ろくろ作業盤５の裏面に複数個、この場合、１２０度の等配上に三個の螺杆７・・を固定状態に垂設し、大ろくろ作業盤５の裏面と上記ろくろ作業盤２の裏面との間に掛架可能な掛架部材８・・を設け、掛架部材８・・に螺杆７・・が挿通可能な長穴部８ａ・・を形成し、螺杆７・・にナット体９・・を螺着して構成している。
【００１４】
この実施の形態例は上記構成であるから、図６の如く、ろくろ作業盤２上に大ろくろ作業盤５を着脱機構４により着脱載置し、大ろくろ作業盤５は中心軸３により回転自在となり、この大ろくろ作業盤５上に粘土Ｗを載置し、大ろくろ作業盤５を手で回しながら、粘土Ｗを両手で挟むようにして成形作業を行うことになり、これにより、大きな茶碗、皿、壺等の陶磁器の成形作業を行うことができる。
【００１５】
この際、図２、図３、図４の如く、上記ろくろ作業盤２上に大ろくろ作業盤５が着脱機構４により着脱載置可能に設けられているから、外径及び厚さの異なる大ろくろ作業盤５を複数個用意することにより、茶碗、皿、壺等の成形すべき陶磁器の大きさに応じた粘土Ｗに適合する大ろくろ作業盤５に交換することができ、使用の融通性を高めることができ、かつ、この大ろくろ作業盤５は木材により製作されているから、金属により製作した大ろくろ作業盤に比べ、軽量かつ低コストの大ろくろ作業盤５を製作することができ、更に、大ろくろ作業盤５の周縁部には複数個の重錘体６・・を配設しているから、複数個の重錘体６・・の存在により大ろくろ作業盤５に大きな遠心力を付与することができ、大ろくろ作業盤５の良好な継続回転を行うことができ、粘土Ｗの成形作業を容易に行うことができる。
【００１６】
又、この場合、図３、図４の如く、上記着脱機構４として、上記大ろくろ作業盤５の裏面に複数個の螺杆７・・を垂設し、大ろくろ作業盤５の裏面と上記ろくろ作業盤２の裏面との間に掛架可能な掛架部材８・・を設け、掛架部材８・・に螺杆７・・が挿通可能な長穴部８ａ・・を形成し、螺杆７・・にナット体９・・を螺着してなるから、掛架部材８・・の両端部により大ろくろ作業盤５の裏面と上記ろくろ作業盤２の裏面を押圧することにより大ろくろ作業盤５をろくろ作業盤２に固定することができ、ろくろ作業盤２と大ろくろ作業盤５とを容易に着脱することができ、掛架部材８・・の長穴部８ａ・・、螺杆７・・及びナット体９・・により大小径の異なる大ろくろ作業盤５に対応することができ、茶碗、皿、壺等の成形すべき陶磁器の大きさに応じた粘土Ｗに適合する大ろくろ作業盤５に容易に交換することができ、使用の融通性を高めることができ、又、この場合、上記重錘体６・・は金属からなるので、大ろくろ作業盤５に大きな遠心力を付与することができ、大ろくろ作業盤５の良好な継続回転を行うことができ、ろくろ成形作業の効率化を図ることができる。
【００１７】
尚、本考案は上記実施の形態例に限られるものではなく、ろくろ台座１、ろくろ作業盤２、大ろくろ作業盤５、重錘体６、掛架部材８、長穴部８ａ、ナット体９の大きさや数、形態、構造等並びに上記実施の形態例において、大ろくろ作業盤５は木材製としているが、合成樹脂により製作することもでき、適宜設計変更されるものである。
【００１８】
以上の如く、所期の目的を充分達成することができる。
【符号の説明】
【００１９】
１    ろくろ台座
２    ろくろ作業盤
３    中心軸
４    着脱機構
５    大ろくろ作業盤
６    重錘体
７    螺杆
８    掛架部材
８ａ    長穴部
９    ナット体
【図１】
0003184096.tif 000003
【図２】
0003184096.tif 000004
【図３】
0003184096.tif 000005
【図４】
0003184096.tif 000006
【図５】
0003184096.tif 000007
【図６】
0003184096.tif 000008